(57)【特許請求の範囲】
【請求項１】
地山の法面に砕石等からなる裏込み材を介してコンクリートブロックが多段状に積み上げら    れると共に、所要のコンクリートブロックに当該ブロックの正面から背面に亘って貫通する植栽用孔が設    けられ、このブロックの背面側に開口する植栽用孔に有効パイプが連結され、前記植栽用孔と有孔パイプ    に客土が収容され、この客土に蔦類等の植物が植栽されてなり、前記ブロックを積み上げた姿勢での、そ のブロックの上面と下面に係合溝を設け、積載時、上下方向に隣接するブロックの係合溝に支持杵を係合 させて沈下防止が図られるようになっている植栽用護岸ブロック装置。
【請求項２】
有効パイプの先端部は地山の法面に当て付けられている請求項１に記載の植栽用護岸ブロッ    ク装置。
【請求項３】
コンクリートブロックの植栽用孔は、ブロック正面側の径が背面側の径より大きくなるよう    なテーパ孔に形成されている請求項１又は２に記載の植栽用護岸ブロック装置。
【発明の詳細な説明】
【０００１】
【発明の属する技術分野】
本発明は、コンクリートブロックを積み上げて形成される護岸ブロックに蔦類等の植物が植栽されるようになっている植栽用護岸ブロック装置に関する。
【０００２】
【従来の技術】
従来この種の植栽用護岸ブロック装置として、特開平１０−１６８９１３号公報に記載されたようなものがある。これは、地山の法面に所定間隔をおいて設けた凹溝部に客土袋を埋め込むように収容すると共に、法面側の客土袋の一部を切り開いておき、その切り開き部に保形性ネットを当てて法面側にアンカーで固定すると共に、その法面の擁壁構築時に予め植栽用パイプの基部を客土袋の切り開き部に接触させると共に擁壁で固定し、前記植栽用パイプに客土を収容し、これに蘿類の根元を植えるようにしたものである。
【０００３】
【発明が解決しようとする課題】
上記従来の植栽用護岸ブロック装置では、地山の法面に凹溝部を設け、この凹溝部に客土袋を埋め込むように収容すると共に、法面側の客土袋の一部を切り開き、その切り開き部に保形性ネットを当てて法面側にアンカーで固定するようにしてなる構造のもので、構成要素が多くなるため、施工に非常な手間と時間がかかって、施工コストが高くつくと云う問題がある。
【０００４】
本発明は、上記の課題に鑑み、構成要素が少なく、施工が簡単で、コストを安くできる植栽用護岸ブロック装置を提供することを目的とする。
【０００５】
【課題を解決するための手段】
請求項１に係る発明の植栽用護岸ブロック装置は、地山１２の法面１２ａに砕石等からなる裏込み材１３を介してコンクリートブロック１，２が多段状に積み上げられると共に、所要のコンクリートブロック１，２に当該ブロックの正面から背面に亘って貫通する植栽用孔７，１１が設けられ、このブロック１，２の背面側に開口する植栽用孔７，１１に有孔パイプ１４が連結され、前記植栽用孔７，１１と有孔パイプ１４に客土１５が収容され、この客土１５に蔦類等の植物Ｔが植栽されてなることを特徴とする。
【０００６】
請求項２は、請求項１に記載の植栽用護岸ブロック装置において、有孔パイプ１４の先端部は地山１２の法面１２ａに当て付けられていることを特徴としている。
【０００７】
請求項３は、請求項１又は２に記載の植栽用護岸ブロック装置において、コンクリートブロック１，２の植栽用孔７，１１は、ブロック正面側の径が背面側の径より大きくなるようなテーパ孔に形成されていることを特徴とする。
【０００８】
【発明の実施の形態】
図１は、基礎用の五角形コンクリートブロック１とこの基礎用五角形コンクリートブロック１の上に多段状に積み上げられる矩形状ブロック２とによって形成された植栽用護岸ブロック装置の外観を示す正面図であり、図２は基礎用五角形ブロック１及び矩形状ブロック２の外観斜視図、図３はこの植栽用護岸ブロック装置の縦断面図である。以降、五角形コンクリートブロック１は、単に「五角形ブロック１」と言い、また矩形状コンクリートブロック２は、単に「矩形状ブロック２」と言う。
【０００９】
基礎用五角形ブロック１は、図２の（Ｂ）に示すように、正面部１ａが五角形を成し、この正面部１ａより背面部１ｂに向かってほぼ同じ断面五角形で先窄まり状に形成されて、正面部１ａと背面部１ｂとの間の稜線で囲まれた５つの傾斜側面３を備えてなるもので、この五角形ブロック１の後部には左右両側の傾斜側面３，３に、ブロック抜け止め用凸部４，４が夫々側方に突設されると共に、各ブロック抜け止め用凸部４の上端面４ａと各傾斜側面３とによってブロック沈下防止用支持杆６（図１、図３〜図５参照）が係合する係合段部５が形成されている。そして、この基礎用五角形ブロック１には、正面部１ａから背面部１ｂを貫通する植栽用孔７が設けられている。
【００１０】
上記基礎用五角形ブロック１の上に積み上げられる矩形状ブロック２は、図２の（Ａ）に示すように、正面部２ａが長方形や正方形等の矩形で、これより後方へ先窄まり状に延びて、背面部２ｂが正面部２ａより小面積の略矩形とされ、正面部２ａから背面部２ｂに向けて傾斜側面８を形成しているが、正面部２ａの各角部ｋに対応して背面部２ｂの各辺部ｎが来るように背面部２ｂを約４５°偏向させて形成し、これによって背面部２ｂの各辺部ｎから正面部２ａの角部ｋに向けて姿勢保持用傾斜面９を傾斜側面８と交互に形成している。また、この矩形状ブロック２には各姿勢保持用傾斜面９の後部に、前記ブロック沈下防止用支持杆６が係合する係合溝１０が形成されており、そしてまた正面部２ａから背面部２ｂに亘って貫通する植栽用孔１１が設けられている。
【００１１】
上記基礎用五角形ブロック１及び矩形状ブロック２の植栽用孔７、１１は、図２の（Ａ）及び（Ｂ）から分かるように、それぞれ、ブロック正面側の径が背面側の径より大きくなるようなテーパ孔に形成されている。
【００１２】
尚、基礎用五角形ブロック１の植栽用孔７及び矩形状ブロック２の植栽用孔１１は、全ての五角形ブロック１及び矩形状ブロック２に設けられる必要はなく、必要とするブロック１，２にのみ設けられればよい。この実施形態では、図１に示すように、基礎用五角形ブロック１については、その全てに植栽用孔７が設けられ、また矩形状ブロック２については、各基礎用五角形ブロック１の上に一列状に積まれて２段目のブロックとなる分に植栽用孔１１が設けられている。
【００１３】
上記のような基礎用五角形ブロック１と矩形状ブロック２を使用して植栽用護岸ブロック装置を施工するには、図１及び図３に示すように、施工予定地の地山１２の法面１２ａから所要間隔をおいた地盤Ｇ上に基礎用五角形ブロック１を互いに当接状態で一列状に配設し、各五角形ブロック１の背面部１ａ側に開口する植栽用孔７に有孔パイプ１４の一端部を連結し、この有孔パイプ１４の他端部（先端部）を地山１２の法面１２ａに突き当てた状態にすると共に、各植栽用孔７と有孔パイプ１４に腐葉土等からなる客土１５を収容する。有孔パイプ１４は、プラスチック製又は金属製のもので、図４から分かるように、パイプ全体に多数の孔１４ａが穿設されている。
【００１４】
この際に、図３に示すように、ブロック沈下防止用支持杆６を所定間隔ごとに上記五角形ブロック１の背面部１ｂ側にある係合段部５及び地盤Ｇの所定位置に立設すると共に、各五角形ブロック１，１間に生コンクリートＫを充填し、また各五角形ブロック１の背面部１ａと地山１２の法面１２ａとの間に切込砕石等からなる裏込み材１３詰め込む。
【００１５】
次いで、上記各基礎用五角形ブロック１の上に、矩形状ブロック２を水平面に対し４５°に傾斜させた状態で載置すると共に、その各矩形状ブロック２の下側の係合溝１０を前記ブロック沈下防止用支持杆６の上端部に係合させ、各矩形状ブロック２の背面部２ｂ側に開口する植栽用孔１１に有孔パイプ１４の一端部を連結し、この有孔パイプ１４の他端部を地山１２の法面１２ａに当て付けると共に、各植栽用孔１１と有孔パイプ１４に腐葉土等からなる客土１５を収容する。また、各矩形状ブロック２，２間に生コンクリートＫを充填し、各矩形状ブロック２の背面部２ａと地山１２の法面１２ａとの間に前記同様に裏込み材１３詰め込む。
【００１６】
以降は、上記同様な作業を繰り返し行って、矩形状ブロック２を多段状に積み上げることにより、図１及び図３に示すような植栽用護岸ブロック装置を形成する。尚、この実施形態では、最下段に配設される基礎用五角形ブロック１については、その全てが植栽用孔７を有するものとし、また矩形状ブロック２については、基礎用五角形ブロック１の上に積まれて２段目のブロックとなる各矩形状ブロック２に植栽用孔１１が設けられ、これらの植栽用孔７，１１にそれぞれ有孔パイプ１４が連結され、各植栽用孔７，１１と有孔パイプ１４とに客土１５が収容されている。
【００１７】
そして、上記基礎用五角形ブロック１の植栽用孔７及び矩形状ブロック２の植栽用孔１１にはそれぞれ正面部１ａ，２ａ側の開口から蔦植物Ｔを挿入し、その根の部分を手で持って当該植栽用孔７，１１内の客土１５に植え込む。
【００１８】
上述した植栽用護岸ブロック装置は、地山１２の法面１２ａに切込砕石等からなる裏込み材１３を介して基礎用五角形ブロック１と矩形状ブロック２とが多段状に積み上げられると共に、例えば最下段の基礎用五角形ブロック１とこの上に一列状に積まれて２段目となる矩形状ブロック２に当該ブロックの正面側から背面側を貫通する植栽用孔７，１１が設けられ、このブロック１，２の背面側に開口する植栽用孔７，１１に有孔パイプ１４が連結され、前記植栽用孔７，１１と有孔パイプ１４に客土１５が収容され、この客土１５に蔦植物Ｔが植え込まれるようにした装置であって、従来の植栽用護岸ブロック装置に比べて、構成部材点数が少なく、構造が簡単であるから、施工が容易で、施工コストが安くなる。
【００１９】
また、この植栽用護岸ブロック装置にあっては、各植栽用孔７，１１及びこれに連結された有孔パイプ１４内の客土１５には、裏込み材１３の隙間からの降雨水や酸素が有孔パイプ１４の孔１４ａを通じて供給され、蔦植物Ｔの成長が促進される。また、成長した蔦植物Ｔの根は、植栽用孔７，１１から有孔パイプ１４内に延び、更に有孔パイプ１４の孔１４ａを通って裏込み材１３側に延出され、それによって蔦植物Ｔがより一層大きく成長することができる。
【００２０】
上記のように最下段の基礎用五角形ブロック１とこの上に積まれて２段目となる矩形状ブロック２の植栽用孔７，１１に植栽された蔦植物Ｔは、その成長に伴い植栽用護岸ブロック装置表面の下段側から漸次上方へ這い上がり、やがて護岸装置表面の全体を緑化するようになる。
【００２１】
この植栽用護岸ブロック装置において、各植栽用孔７，１１に連結される有孔パイプ１４は、図３及び図４に示すように、植栽用孔７，１１の背面側開口に嵌合可能な径の有孔パイプを使用して、その一端部を当該背面側開口に嵌着し、他端部（先端部）を地山１２の法面１２ａに突っ込んで固定させるようにすれば、有孔パイプ１４の取付作業が非常に簡単且つ容易となる。また、有孔パイプ１４の先端部が地山１２に当て付けられていることから、パイプ１４の両端が支持されることになって、その取付けが安定すると共に、地山１２からの水分や養分を有孔パイプ１４内に導入させることができる。
【００２２】
図５は、有孔パイプ１４の他の取付方法を示すもので、植栽用孔７，１１の径より大きい径の有孔パイプ１４を使用し、このパイプ１４の一端面を背面側開口の周囲に当接させると共に、他端部を地山１２の法面１２ａに当て付け、しかして当該パイプ１４の一端部をセメントモルタル等によりブロック１，２の背面に固着するようにしている。こうすれば、大きな径の有孔パイプ１４を使用できるから、パイプ１４の孔１４ａから水分や酸素をより多く供給できる。
【００２３】
また、基礎用五角形ブロック１及び矩形状ブロック２の植栽用孔７、１１は、それぞれブロック正面側の径が背面側の径より大きくなるようなテーパ孔に形成されているから、各ブロック１，２の成形時に植栽用孔７，１１を形成するための成形型の抜き取りが容易となるのみならず、植栽用孔７、１１に収容された客土１５への蔦植物Ｔの植え込み作業が容易となる。
【００２４】
【発明の効果】
請求項１に係る植栽用護岸ブロック装置は、地山の法面に裏込み材を介してコンクリートブロックが多段状に積み上げられると共に、所要のコンクリートブロックに当該ブロックの正面から背面に亘って貫通する植栽用孔が設けられ、このブロックの背面側に開口する植栽用孔に有孔パイプが連結され、植栽用孔と有孔パイプに客土が収容され、この客土に蔦類等の植物が植栽されてなるため、従来の植栽用護岸ブロック装置に比べ、構成部材点数が少なく、構造が簡単となって、施工が容易で、コストを安くできる。
【００２５】
また、この植栽用護岸ブロック装置では、植栽用孔及びこれに連結された有孔パイプ内の客土に、裏込み材側からの水分や酸素を有孔パイプの孔を通じて供給でき、蔦類等の植物の成長を促進できる。また、成長した蔦植物の根を有孔パイプの孔を通じて裏込み材側に延出させることができ、それによって植物のより一層の成長を図ることができる。
【００２６】
請求項２に記載のように、有孔パイプの先端部を地山の法面に当て付けるようにすることにより、パイプが両端支持されることになって、その取付けが安定すると共に、地山からの水分等を有孔パイプ内に導入させることができる。
【００２７】
請求項３に記載のように、コンクリートブロックの植栽用孔をブロック正面側の径が背面側の径より大きくなるようなテーパ孔に形成することによって、コンクリートブロックの成形時に植栽用孔を形成するための成形型の抜き取りが容易に行えるのみならず、植栽用孔に収容された客土への蔦類等植物の植え込み作業が容易となる。
【図面の簡単な説明】
【図１】  基礎用の五角形ブロックとこの五角形ブロックの上に多段状に積み上げられる矩形状ブロックとによって形成された植栽用護岸ブロック装置の外観を示す正面図である。
【図２】  （Ａ）は基礎用五角形ブロックを示す外観斜視図、（Ｂ）は矩形状ブロックを示す外観斜視図である。
【図３】  図１のＸ−Ｘ線断面図である。
【図４】  図３の一部拡大図で、有孔パイプの取付状態を示す。
【図５】  有孔パイプの他の取付状態を示す図４と同様な断面図である。
【符号の説明】
１              基礎用五角形ブロック（コンクリートブロック）
１ａ            基礎用五角形ブロックの正面部
１ｂ            基礎用五角形ブロックの背面部
２              矩形状ブロック（コンクリートブロック）
２ａ            矩形状ブロックの正面部
２ｂ            矩形状ブロックの背面部
７，１１        植栽用孔
１２            地山
１２ａ          法面
１３            裏込み材
１４            有孔パイプ
１５            客土
Ｔ              蔦植物（蔦類等の植物）
【図１】
0003977527.tif 000002
【図２】
0003977527.tif 000003
【図３】
0003977527.tif 000004
【図４】
0003977527.tif 000005
【図５】
0003977527.tif 000006